(57)【要約】【課題】密封不良が生じることを抑制できる電池を提供する。【解決手段】一つの実施の形態に係る電池は、筐体と、壁と、出力端子と、蓋と、を備える。前記筐体は、電極及び電解液を収容する収容部を有する。前記壁は、前記筐体に設けられ、前記筐体の外部に向く外面と、前記外面に設けられるとともに前記収容部に通じる開口と、を有する。前記出力端子は、前記外面から突出し、前記電極に電気的に接続される。前記蓋は、前記外面から離れて位置するとともに前記開口を覆う第１の部分と、前記第１の部分を囲むとともに前記開口から離れた位置で前記壁に固定される第２の部分と、を有する。【選択図】図２
2015130267.tif 000002
【特許請求の範囲】
【請求項１】
電極及び電解液を収容する収容部を有する筐体と、
前記筐体に設けられ、前記筐体の外部に向く外面と、前記外面に設けられるとともに前記収容部に通じる開口と、を有する、壁と、
前記外面から突出し、前記電極に電気的に接続された出力端子と、
前記外面から離れて位置するとともに前記開口を覆う第１の部分と、前記第１の部分を囲むとともに前記開口から離れた位置で前記壁に固定される第２の部分と、を有する蓋と、
を具備する電池。
【請求項２】
前記壁は、前記外面から突出するとともに前記開口から離れた位置で前記開口を囲む突出部を有し、
前記蓋が前記突出部を覆う、
請求項１の電池。
【請求項３】
前記第２の部分が前記突出部に固定される、請求項２の電池。
【請求項４】
前記第１の部分が前記突出部を覆い、
前記第２の部分は、前記突出部を囲むとともに前記外面に固定される、
請求項２の電池。
【請求項５】
前記第１の部分が前記突出部から離れた、請求項４の電池。
【請求項６】
前記外面は、前記突出部を囲む第１の領域と、前記突出部に囲まれるとともに前記第１の領域よりも凹んだ第２の領域と、を有する、請求項２の電池。
【請求項７】
前記突出部が前記外面から突出する高さは、前記出力端子が前記外面から突出する高さよりも高い、請求項２の電池。
【請求項８】
前記第２の部分が、前記開口から離れた位置で前記外面に固定される、請求項１の電池。
【発明の詳細な説明】
【技術分野】
【０００１】
本発明の実施形態は、電池に関する。
【背景技術】
【０００２】
リチウムイオン電池のような非水電解質二次電池において、正極と、負極と、正極及び負極の間に介在するセパレータと、例えば非水溶媒系の電解液と、が容器に収容される。電解液は、容器に設けられた注液口から注入される。当該注液口は、電解液の注入後に、封止板によって密封される。当該封止板は、例えば溶接によって、容器に固定される。
【先行技術文献】
【特許文献】
【０００３】
【特許文献１】特開２００８−１４７０６９号公報
【特許文献２】特開２００６−１９６３９４号公報
【特許文献３】特開２００７−０６６６００号公報
【特許文献４】特開２０１２−１６９２５４号公報
【特許文献５】特開２０１３−１４０６８２号公報
【発明の概要】
【発明が解決しようとする課題】
【０００４】
容器に電解液が注入された後、容器内の空気が抜かれる。例えばこのときに、注液口から電解液が吹き出て、注液口付近に付着することがある。付着した電解液や、当該電解液の塩の上から封止板が容器に溶接されると、封止板による容器の密閉が不十分になる可能性がある。
【０００５】
本発明の解決すべき課題の一つは、密封不良が生じることを抑制できる電池を提供することである。
【課題を解決するための手段】
【０００６】
一つの実施の形態に係る電池は、筐体と、壁と、出力端子と、蓋と、を備える。前記筐体は、電極及び電解液を収容する収容部を有する。前記壁は、前記筐体に設けられ、前記筐体の外部に向く外面と、前記外面に設けられるとともに前記収容部に通じる開口と、を有する。前記出力端子は、前記外面から突出し、前記電極に電気的に接続される。前記蓋は、前記外面から離れて位置するとともに前記開口を覆う第１の部分と、前記第１の部分を囲むとともに前記開口から離れた位置で前記壁に固定される第２の部分と、を有する。
【図面の簡単な説明】
【０００７】
【図１】図１は、第１の実施の形態に係る電池を示す斜視図である。
【図２】図２は、第１の実施形態の電池の一部を示す断面図である。
【図３】図３は、第２の実施の形態に係る電池の一部を示す断面図である。
【図４】図４は、第３の実施の形態に係る電池の一部を示す断面図である。
【図５】図５は、第４の実施の形態に係る電池の一部を示す断面図である。
【発明を実施するための形態】
【０００８】
以下に、第１の実施の形態について、図１及び図２を参照して説明する。なお、本明細書においては基本的に、ユーザから見て上方を上方向、ユーザから見て下方を下方向と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施の形態に係る電池１０を示す斜視図である。電池１０は、例えばリチウムイオン二次電池である。なお、電池１０はこれに限らず、他の種類の電池であっても良い。図１に示すように、電池１０は、略直方体に形成される。なお、電池１０は他の形状であっても良い。
【００１０】
図面に示されるように、本明細書において、Ｘ軸、Ｙ軸及びＺ軸が定義される。Ｘ軸とＹ軸とＺ軸とは、互いに直交する。Ｘ軸は、電池１０の幅（長手方向の長さ）に沿う。Ｙ軸は、電池１０の厚さ（短手方向の長さ）に沿う。Ｚ軸は、電池１０の高さ（鉛直方向の長さ）に沿う。
【００１１】
電池１０は、筐体２１と、電極群２２と、二つの出力端子２３と、ガス排出弁２４と、封止板２５と、を有する。筐体２１は、例えば、容器、ケース、缶、箱、又は壁とも称され得る。電極群２２は、電極の一例である。出力端子２３は、例えば、正極、負極、端子、導電部、又は突出部とも称され得る。封止板２５は、蓋の一例であり、例えば、封止体、封止栓、封止部、密閉部、被覆部、又は部材とも称され得る。
【００１２】
筐体２１は、例えば、アルミニウム合金によって形成される。なお、筐体２１は、他の金属や合成樹脂のような他の材料によって形成されても良い。筐体２１は、容器３１と、蓋体３２とを有する。蓋体３２は、壁の一例であり、例えば、外壁、封止部、密閉部、被覆部、又は部材とも称され得る。
【００１３】
容器３１は、扁平な略直方体の箱状に形成される。容器３１の上端３１ａは開放される。言い換えると、容器３１の上端３１ａに開口が設けられる。容器３１の内部に、収容部３４が設けられる。収容部３４は、開放された上端３１ａに通じる。言い換えると、収容部３４は、容器３１の上端３１ａにおいて外部に開放される。
【００１４】
蓋体３２は、略矩形の板状に形成され、容器３１の開放された上端３１ａを塞ぐ。言い換えると、蓋体３２は、容器３１の上端３１ａに設けられた開口を塞ぐ。蓋体３２は、例えば、容器３１の上端３１ａにレーザ溶接され、収容部３４を密閉する。
【００１５】
図２は、電池１０の一部を示す断面図である。図２に示すように、蓋体３２は、外面３６と、内面３７とを有する。外面３６は、筐体２１の外部に向く。言い換えると、外面３６は、容器３１の収容部３４の反対側に向く。出力端子２３、ガス排出弁２４、及び封止板２５は、蓋体３２の外面３６に配置される。内面３７は、外面３６の反対側に位置し、収容部３４に面する。
【００１６】
図１に示す電極群２２は、例えば、複数の正極と、複数の負極と、複数のセパレータとを有する。前記正極及び負極は、例えば、帯状の集電体と、当該集電体の少なくとも一面に形成された活物質の層とを有する。前記集電体は、例えば、アルミニウム箔のような金属箔によって形成される。前記セパレータは、例えば、多孔質材料によって帯状に形成される。
【００１７】
前記正極、負極、及びセパレータは、シート状に形成される。前記正極及び負極は、前記セパレータを介して積層され、コイル状に巻回される。円筒形状に巻回された前記正極、負極、及びセパレータは、扁平にプレスされる。なお、前記正極、負極、及びセパレータは、巻回されずに積層されても良い。
【００１８】
前記正極及び負極の集電体に、複数のタブが設けられる。当該タブは、電極群２２の上端から延びる。前記正極の複数のタブは、互いに重ねられる。同じく、前記負極の複数のタブも、互いに重ねられる。
【００１９】
電極群２２は、非水電解液とともに、容器３１の収容部３４に収容される。当該非水電解液は、電解液の一例である。前記非水電解液は、例えば、非水溶媒にリチウム塩のような電解質を溶解させることにより調製される。
【００２０】
二つの出力端子２３は、それぞれ電池１０の正極端子及び負極端子である。二つの出力端子２３は、蓋体３２の外面３６の、Ｘ軸に沿う方向における一方の端部と他方の端部とにそれぞれ配置される。
【００２１】
出力端子２３は、リベット状に形成される。出力端子２３は、蓋体３２の外面３６から突出する。出力端子２３の一部は、蓋体３２に設けられた孔を通って内面３７から突き出る。内面３７から突出する出力端子２３の当該一部は、収容部３４に設けられたリードによって、電極群２２の前記タブに電気的に接続される。出力端子２３と蓋体３２との間の隙間に、絶縁体であるガスケット３９が介在する。出力端子２３及びガスケット３９によって、蓋体３２の前記孔が密封される。
【００２２】
ガス排出弁２４は、二つの出力端子２３の間に位置する。ガス排出弁２４は、例えば、収容部３４の内部の圧力が閾値より高くなった場合に開放される。開放されたガス排出弁２４は、収容部３４のガスを筐体２１の外部に放出し、収容部３４の圧力を低下させる。
【００２３】
図２に示すように、蓋体３２に、注液口４１が設けられる。注液口４１は、開口の一例であり、例えば、孔又は凹部とも称され得る。注液口４１は、蓋体３２の外面３６に設けられた円形の孔である。なお、注液口４１は、他の形状に形成されても良い。
【００２４】
注液口４１は、蓋体３２を貫通し、容器３１の収容部３４に通じる。言い換えると、注液口４１は、蓋体３２の外面３６から内面３７に亘って設けられ、外面３６及び内面３７にそれぞれ開口する。
【００２５】
注液口４１から、前記非水電解液が、電極群２２が収容された収容部３４に注入される。さらに、前記非水電解液が注入される前、及び前記非水電解液が注入された後に、注液口４１から、収容部３４の内部の空気が抜かれる（脱泡）。
【００２６】
なお、蓋体３２に、他の開口が設けられても良い。この場合、注液口４１から前記非水電解液が収容部３４に注入される一方、当該他の開口から収容部３４の空気が外部に排出される。
【００２７】
蓋体３２は、突出部４４を有する。突出部４４は、例えば、堰、堤防、囲み部、壁、取付部、又は固定部とも称され得る。突出部４４は、蓋体３２の一部であり、外面３６から突出する。突出部４４は、注液口４１から離れた位置に設けられる。
【００２８】
突出部４４は、注液口４１を中心とした円周上に延びる。すなわち、突出部４４は、注液口４１から離れた位置で、注液口４１を囲む。注液口４１と突出部４４との間の距離は、例えば、１μｍ〜１０ｍｍである。なお、注液口４１と突出部４４との間の距離はこれに限らない。
【００２９】
突出部４４は、蓋体３２の外面３６を、第１の領域Ａ１と、第２の領域Ａ２とに区分する。第１の領域Ａ１は、突出部４４の外側の領域である。すなわち、第１の領域Ａ１は、突出部４４を囲む。第２の領域Ａ２は、突出部４４の内側の領域である。すなわち、第２の領域Ａ２は、突出部４４に囲まれる。出力端子２３及びガス排出弁２４は、第１の領域Ａ１に配置される。注液口４１は、第２の領域Ａ２に配置される。
【００３０】
突出部４４が蓋体３２の外面３６から突出する高さは、例えば、１μｍ〜５ｍｍである。なお、突出部４４の高さはこれに限らない。当該高さは、外面３６から、突出部４４の端部４４ａとの間の、Ｚ軸に沿う距離である。突出部４４の端部４４ａは、外面３６と平行な平面である。なお、突出部４４の端部４４ａはこれに限らない。
【００３１】
封止板２５は、例えば、筐体２１と同じくアルミニウム合金によって形成される。なお、封止板２５は、他の金属や合成樹脂のような他の材料によって形成されても良い。封止板２５は、例えば、平坦な円盤状に形成される。
【００３２】
封止板２５は、第１の部分５１と、第２の部分５２とを有する。第１の部分５１は、例えば、被覆部、離間部、又は蓋部とも称され得る。第２の部分５２は、周部、固定部、又は溶接部とも称され得る。図２において、第１の部分５１と第２の部分５２とは、二点鎖線によって区切られる。当該二点鎖線は、突出部４４の端部４４ａの、内側の縁に沿う。
【００３３】
第１の部分５１は、スペースＳを介して注液口４１を覆う。言い換えると、第１の部分５１は、Ｚ軸に沿う方向において、蓋体３２の外面３６から離れて位置する。第１の部分５１と蓋体３２の外面３６との間の距離は、突出部４４の高さに等しく、１μｍ〜５ｍｍである。
【００３４】
第２の部分５２は、円盤状の封止板２５の周縁部分であって、第１の部分５１の周りに設けられる。言い換えると、第２の部分５２は、第１の部分５１を囲む環状に形成される。このため、第２の部分５２は、Ｘ軸及びＹ軸に沿う方向において、注液口４１から離れる。
【００３５】
第２の部分５２は、突出部４４の端部４４ａに支持される。このため、第２の部分５２は、突出部４４の端部４４ａ及び内面４４ｂを覆う。内面４４ｂは、Ｘ軸及びＹ軸に沿う方向において、注液口４１に向く突出部４４の側面である。内面４４ｂは、蓋体３２の外面３６に対して斜めに延びる。なお、内面４４ｂは、外面３６に対して直交しても良い。
【００３６】
第２の部分５２は、例えばレーザ溶接によって、突出部４４の端部４４ａに固定される。すなわち、第２の部分５２は、注液口４１から離れた位置で、蓋体３２の一部である突出部４４に固定される。図２において、溶接された部分Ｗが二点鎖線で示される。
【００３７】
上述のように、第２の部分５２が突出部４４の端部４４ａに固定される。このため、第２の部分５２から平坦に連続する第１の部分５１は、スペースＳを介して、注液口４１が設けられた外面３６の第２の領域Ａ２を覆う。すなわち、封止板２５は、外面３６の第２の領域Ａ２から浮いた位置で、注液口４１を密閉する。
【００３８】
第１の実施の形態に係る電池１０において、封止板２５の第１の部分５１が、蓋体３２の外面３６から離れて位置するとともに、注液口４１を覆う。封止板２５の第２の部分５２は、第１の部分５１を囲むとともに、注液口４１から離れた位置で蓋体３２に固定される。すなわち、封止板２５は、注液口４１の周囲に一定の空間を形成して注液口４１を覆い、蓋体３２に固定される。
【００３９】
上述のように、注液口４１から、前記非水電解液が、電極群２２が収容された収容部３４に注入される。さらに、前記非水電解液が注入された後、注液口４１から、収容部３４の内部の空気が抜かれる。この際、注液口４１から、空気とともに前記非水電解液が噴出することがある。
【００４０】
注液口４１から溢れた非水電解液及びその塩（以下、電解液等と称する）Ｅは、注液口４１の上端４１ａや、注液口４１の周辺の外面３６に付着する。上端４１ａは、注液口４１の、外面３６に開口する部分である。電解液等Ｅは、注液口４１の周りの空間内である、外面３６の第２の領域Ａ２に留まる。
【００４１】
封止板２５の第２の部分５２は、第２の領域Ａ２から離れた、突出部４４の端部４４ａに溶接される。このように、注液口４１の周りに電解液等Ｅが付着していたとしても、封止板２５は、電解液等Ｅが付着する部分（第２の領域Ａ２）を避けた部分で、蓋体３２に固定される。言い換えると、電解液等Ｅが付着する部分と、封止板２５が蓋体３２に溶接される部分と、が物理的に隔てられる。
【００４２】
もし電解液等Ｅの上から封止板２５が蓋体３２に溶接されると、封止板２５と蓋体３２との溶接部分にピンホールが生じて、電池１０の密閉性が損なわれる可能性がある。さらに、電解液等Ｅによって封止板２５が浮き上がった状態で封止板２５が蓋体３２に溶接されると、封止板２５と蓋体３２との間に隙間が生じる可能性がある。第１の実施形態の電池１０によれば、このような密封不良（溶接不良）が生じることを抑制できる。これにより、電池１０の歩留まりが向上する。
【００４３】
突出部４４が、蓋体３２の外面３６から突出するとともに、注液口４１から離れた位置で注液口４１を囲む。このため、もし注液口４１から電解液等Ｅが溢れたとしても、突出部４４と、注液口４１及び突出部４４の間の部分（第２の領域Ａ２）とに、電解液等Ｅが留まる。
【００４４】
さらに遠くへ飛ぼうとする電解液等Ｅは、外面３６から突出した突出部４４の内面４４ｂに受け止められる。すなわち、突出部４４は、電解液等Ｅを、当該突出部４４の内側に留める。言い換えると、突出部４４は、電解液等Ｅが注液口４１の周囲に拡散する範囲を制限する。
【００４５】
突出部４４が電解液等Ｅを留めるため、突出部４４の先端４４ａに電解液等Ｅが付着することが抑制される。このため、電解液等Ｅが封止板２５と突出部４４の端部４４ａとの間に介在することなく、封止板２５の第２の部分５２が突出部４４の端部４４ａに溶接される。これにより、封止板２５と蓋体３２との間に密封不良が生じることを抑制できる。
【００４６】
封止板２５が、突出部４４に固定される。このため、封止板２５を取り付ける位置（突出部４４）が明確になり、封止板２５の位置決めが容易になる。これにより、電池１０をより容易に製造することができる。
【００４７】
以下に、第２の実施の形態について、図３を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００４８】
図３は、第２の実施の形態に係る電池１０の一部を示す断面図である。図３に示すように、第２の実施形態における突出部４４の高さは、出力端子２３が蓋体３２の外面３６から突出する高さよりも高い。出力端子２３の高さは、蓋体３２の外面３６から、出力端子２３の端部２３ａまでの、Ｚ軸に沿う長さである。出力端子２３の端部２３ａは、外面３６と平行な平面である。なお、出力端子２３の端部２３ａはこれに限らない。
【００４９】
第２の実施形態の電池１０によれば、突出部４４の高さが、出力端子２３の高さよりも高い。このような電池１０の蓋体３２に、導電性の部材Ｍが落下することがある。部材Ｍは、例えば、導電性の筐体を有する他の電池、複数の電池１０を電気的に接続するバスバー、又はネジである。
【００５０】
突出部４４の高さが、出力端子２３の高さよりも高い。このため、突出部４４が、落下する部材Ｍを受け止める。さらに、部材Ｍが、一つの出力端子２３に当たることがある。しかし、出力端子２３よりも大きく突出する突出部４４が部材Ｍを支持するため、部材Ｍが二つの出力端子２３に同時に接触することが抑制される。したがって、導電性の部材Ｍによる短絡が生じることが抑制される。
【００５１】
以下に、第３の実施の形態について、図４を参照して説明する。図４は、第３の実施の形態に係る電池１０の一部を示す断面図である。図４に示すように、第３の実施形態の蓋体３２は、突出部４４を有しない。
【００５２】
第３の実施形態の封止板２５の第２の部分５２は、蓋体３２の外面３６に溶接によって固定される。第２の部分５２は、注液口４１から、例えば１μｍ〜１０ｍｍ離れた位置で外面３６に溶接される。なお、注液口４１と第２の部分５２との間の距離は、これに限らない。
【００５３】
第１の部分５１は、注液口４１を避ける略ドーム状に形成される。第２の部分５２は、略ドーム状の第１の部分５１の周りに設けられたフランジ状の部分である。第１の部分５１は、覆壁５１ａと、傾斜壁５１ｂとを有する。覆壁５１は、例えば天井部分とも称され得る。
【００５４】
覆壁５１ａは、スペースＳを介して、蓋体３２の外面３６と平行に配置される。すなわち、覆壁５１ａは、Ｚ軸に沿う方向に外面３６から離れた位置で、外面３６の一部と、注液口４１とを覆う。覆壁５１ａと外面３６との間の距離は、例えば、１μｍ〜５ｍｍである。なお、覆壁５１ａと外面３６との間の距離はこれに限らない。
【００５５】
傾斜壁５１ｂは、覆壁５１ａを囲み、覆壁５１ａと第２の部分５２との間に介在する。傾斜壁５１ｂは、略円錐台状に形成される。言い換えると、傾斜壁５１ｂは、外面３６に対して斜めに延びる。
【００５６】
第１の部分５１の形状は、上述のものに限らない。例えば、第１の部分５１は、円筒状や、半球状に形成されても良い。第１の部分５１は、注液口４１と、注液口４１の周辺における外面３６とを、離れた位置から覆う。
【００５７】
第３の実施形態の電池１０によれば、封止板２５の第２の部分５２が注液口４１から離れた位置で蓋体３２の外面３６に固定される。一方、第１の部分５１が、外面３６から離れて位置するとともに注液口４１を覆う。すなわち、封止板２５は、注液口４１の周囲に一定の空間を形成して注液口４１を覆い、蓋体３２の外面３６に固定される。
【００５８】
注液口４１と、第２の部分５２が溶接される部分と、の間は離間する。注液口４１から電解液等Ｅが溢れたとしても、電解液等Ｅは、注液口４１と第２の部分５２が溶接される部分との間に留まる。言い換えると、第２の部分５２は、電解液等Ｅが付着するであろう領域の外において、蓋体３２の外面３６に溶接される。すなわち、第２の部分５２が蓋体３２に溶接される部分と、電解液等Ｅが付着する部分とが分けられる。
【００５９】
第２の部分５２が注液口４１から離れた位置で蓋体３２の外面３６に溶接されることで、第２の部分５２と外面３６との間に電解液等Ｅが介在することが抑制される。さらに、第１の部分５１が外面３６から離れて位置することで、外面３６に付着した電解液等Ｅにより、封止板２５が浮き上がることが抑制される。これにより、封止板２５と蓋体３２との間の溶接不良が抑制される。
【００６０】
以下に、第４の実施の形態について、図５を参照して説明する。図５は、第４の実施の形態に係る電池１０の一部を示す断面図である。図５に示すように、第４の実施形態の電池１０は、第１の実施形態と同じく突出部４４を有する。
【００６１】
突出部４４に囲まれた外面３６の第２の領域Ａ２は、第１の領域Ａ１よりも凹む。言い換えると、第２の領域Ａ２は、第１の領域Ａ１よりも、収容部３４に近い。さらに別の表現をすれば、第１の領域Ａ１から突出部４４の端部４４ａまでのＺ軸に沿う距離は、第２の領域Ａ２から突出部４４の端部４４ａまでのＺ軸に沿う距離よりも短い。
【００６２】
第４の実施形態の封止板２５は、第３の実施形態と同じく、略ドーム状に形成される。第２の部分５２は、突出部４４を囲むとともに、蓋体３２の外面３６に、例えば溶着によって固定される。言い換えると、第２の部分５２は、突出部４４よりも注液口４１から離れる。
【００６３】
第１の部分５１の覆壁５１ａは、突出部４４の端部４４ａから、Ｚ軸に沿う方向に離れる。覆壁５１ａは、突出部４４の端部４４ａ及び内面４４ｂと、突出部４４の内側に位置する外面３６の第２の領域Ａ２とを覆う。
【００６４】
第１の部分５１の傾斜壁５１ｂは、Ｘ軸及びＹ軸に沿う方向において、突出部４４の外側に位置する。なお、傾斜壁５１ｂは、部分的に突出部４４の内側に位置しても良い。傾斜壁５１ｂは、隙間を介して突出部４４の外面４４ｃを覆う。外面４４ｃは、内面４４ｂの反対側に位置する突出部４４の側面である。
【００６５】
上述のように、第１の部分５１は、突出部４４と、突出部４４に囲まれた外面３６の第２の領域Ａ２と、注液口４１とを覆う。第１の部分５１は、突出部４４から離れる。なお、第１の部分５１は、突出部４４に接触しても良い。さらに、第１の部分５１が突出部４４に、例えば溶接によって固定されても良い。
【００６６】
第４の実施形態の電池１０によれば、封止板２５の第１の部分５１が突出部４４を覆う。さらに、第２の部分５２が、突出部４４を囲むとともに、蓋体３２の外面３６に固定される。
【００６７】
突出部４４は、注液口４１から溢れた電解液等Ｅの拡散を制限する。もし電解液等Ｅが突出部４４の端部４４ａ付近まで付着したとしても、第２の部分５２は、突出部４４の外側で外面３６に固定される。このため、第２の部分５２と蓋体３２の外面３６との間に電解液等Ｅが介在した状態で、第２の部分５２が外面３６に溶接されることが抑制される。したがって、封止板２５と蓋体３２との間の溶接不良が抑制される。
【００６８】
第１の部分５１は、突出部４４から離れた位置で、突出部４４を覆う。このため、封止板２５及び／又は突出部４４の寸法にばらつきが生じたとしても、突出部４４によって封止板２５が浮き上がることが抑制される。さらに、突出部４４の端部４４ａや外面４４ｃに電解液等Ｅが付着したとしても、当該電解液等Ｅによって封止板２５が浮き上がることが抑制される。これにより、封止板２５と蓋体３２との間の溶接不良が抑制される。
【００６９】
上記複数の実施形態に係る電池は、単独あるいは複数のリチウムイオン二次電池を有した組電池の形態で、例えば、携帯電話や、パーソナルコンピュータ、携帯音楽プレーヤー等の比較的小型の装置等の電源として使用される他、電動自転車や、ハイブリッド電気自動車、電気自動車等の比較的大型の装置等の電源としても使用され得る。また、組電池は、例えば、自動車や自転車（移動体）等の電源等、移動型の電源としても使用される他、例えば、ＰＯＳ（ｐｏｉｎｔ  ｏｆ  ｓａｌｅｓ）システム用の電源等、定置型の電源としても使用される。また、種々の装置等には、複数の組電池を、直列あるいは並列に接続したセットとして搭載することができる。
【００７０】
リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、炭素質材料、シリコン系材料等が用いられる。また、電解質（一例としては電解液）としては、例えば、フッ素系錯塩（例えばＬｉＢＦ４、ＬｉＰＦ６）等のリチウム塩が配合された、例えば、炭酸エチレンや炭酸プロピレン、炭酸ジエチル、炭酸エチルメチル、炭酸ジメチル等の有機溶媒等が単独であるいは複数混合されて用いられる。
【００７１】
以上説明した少なくとも一つの実施形態によれば、蓋の第１の部分が、外面から離れて位置するとともに開口を覆い、蓋の第２の部分が、当該第１の部分を囲むとともに、開口から離れた位置で壁に固定される。これにより、電池の密封不良が生じることを抑制できる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
例えば、上記実施の形態において、蓋の一例は封止板２５である。しかし、蓋はこれに限らず、他の部材であっても良い。さらに、開口の一例は注液口４１である。しかし、開口はこれに限らず、他の部分であっても良い。
【００７４】
さらに、上記実施の形態において、封止板２５は蓋体３２に溶接によって固定される。しかし、蓋はこれに限らず、例えば、接着や溶着のような他の方法によって、壁に固定されても良い。
【符号の説明】
【００７５】
１０…電池、２１…筐体、２２…電極群、２３…出力端子、２５…封止板、３２…蓋体、３４…収容部、３６…外面、４１…注液口、４４…突出部、５１…第１の部分、５２…第２の部分、Ａ１…第１の領域、Ａ２…第２の領域。
【図１】
2015130267.tif 000003
【図２】
2015130267.tif 000004
【図３】
2015130267.tif 000005
【図４】
2015130267.tif 000006
【図５】
2015130267.tif 000007